(57)【要約】【課題】本発明の課題は、ユーザが容易に商品購入を行うことのできる携帯電話端末商品販売システムを提供することにある。【課題手段】本発明は、携帯電話端末用商品購入ページのＵＲＬが商品ごとに記憶される記憶手段と、各種処理を行う処理手段とを備えたＵＲＬ付与システム１００と、該ＵＲＬ付与システム１００にネットワークシステム２００を介してデータの接受可能な販売者側システム３００とからなり、前記ＵＲＬ付与システム１００は、販売者側システム３００から携帯電話端末用商品購入ページのＵＲＬの取得を要望された際に、携帯電話端末用商品購入ページのＵＲＬと、該ＵＲＬを一定法則のもと変換して得られる二次元バーコードとを作成して、前記販売者側システム３００に提供するとともに、該ＵＲＬ付与システム１００は、前記ＵＲＬを提供した販売者側システム３００と関連づけて記憶手段に記憶するように設けられていることを特徴とする。    【選択図】図１
2006331357.tif 000002
【特許請求の範囲】
【請求項１】
携帯電話端末用商品購入ページのＵＲＬが商品ごとに記憶される記憶手段と、各種処理を行う処理手段とを備えたＵＲＬ付与システムと、該ＵＲＬ付与システムにネットワークシステムを介してデータの接受可能な販売者側システムとからなり、
前記ＵＲＬ付与システムは、販売者側システムから携帯電話端末用商品購入ページのＵＲＬの取得を要望された際に、携帯電話端末用商品購入ページのＵＲＬと、該ＵＲＬを一定法則のもと変換して得られる二次元バーコードとを作成して、前記販売者側システムに提供するとともに、該ＵＲＬ付与システムは、前記ＵＲＬを提供した販売者側システムと関連づけて記憶手段に記憶するように設けられていることを特徴とする携帯電話端末商品販売システム。
【請求項２】
請求項１記載の携帯電話端末商品販売システムであって、
販売者側システムは、前記ＵＲＬ付与システムに対して、商品名や価格などの商品情報を送信できるように設けられており、
前記ＵＲＬ付与システムは、前記販売者側システムからの商品情報を、前記携帯電話端末用商品購入ページに反映するように設けられていることを特徴とする携帯電話端末商品販売システム。
【請求項３】
請求項１または２記載の携帯電話端末商品販売システムであって、
前記ＵＲＬ付与システムは、前記携帯電話端末用商品購入ページにアクセスした携帯電話端末ユーザから発注の依頼を受けた際に、前記販売者側システムの販売者に通知するように設けられていることを特徴とする携帯電話端末商品販売システム。
【請求項４】
携帯電話端末用商品購入ページのＵＲＬが商品ごとに記憶される記憶手段と、各種処理を行う処理手段とを備え、
前記処理手段は、販売者から携帯電話端末用商品購入ページのＵＲＬの取得を要望された際に、携帯電話端末用商品購入ページのＵＲＬと、該ＵＲＬを一定法則のもと変換して得られる二次元バーコードとを作成して、前記販売者に提供するとともに、前記ＵＲＬを提供した販売者と関連づけて記憶手段に記憶するように設けられていることを特徴とする携帯電話端末商品販売システム。
【請求項５】
請求項４記載の携帯電話端末商品販売システムであって、
前記処理手段は、販売者から提供された商品情報を、前記携帯電話端末用商品購入ページに反映するように設けられていることを特徴とする携帯電話端末商品販売システム。
【請求項６】
請求項４または５記載の携帯電話端末商品販売システムであって、
前記処理手段は、前記携帯電話端末用商品購入ページにアクセスした携帯電話端末ユーザから発注の依頼を受けた際に、販売者に通知するように設けられていることを特徴とする携帯電話端末商品販売システム。
【請求項７】
処理手段および記憶手段を備えた携帯電話端末商品販売システムに読み込まれることにより、前記処理手段が種々の処理を行うように設けられた携帯電話端末商品販売システム用プログラムであって、
前記処理手段が、販売者から携帯電話端末用商品購入ページのＵＲＬの取得を要望された際に、携帯電話端末用商品購入ページのＵＲＬと、該ＵＲＬを一定法則のもと変換して得られる二次元バーコードとを作成して、前記販売者に提供するとともに、前記ＵＲＬを提供した販売者と関連づけて記憶手段に記憶するように設けられていることを特徴とする携帯電話端末商品販売システム用プログラム。
【請求項８】
請求項７記載の携帯電話端末商品販売システム用プログラムであって、
前記処理手段が、販売者から提供された商品情報を、前記携帯電話端末用商品購入ページに反映するように設けられていることを特徴とする携帯電話端末商品販売システム用プログラム。
【請求項９】
請求項７または８記載の携帯電話端末商品販売システム用プログラムであって、
前記処理手段が、前記携帯電話端末用商品購入ページにアクセスした携帯電話端末ユーザから発注の依頼を受けた際に、販売者に通知するように設けられていることを特徴とする携帯電話端末商品販売システム用プログラム。
【請求項１０】
請求項７乃至９の何れかに記載のプログラムが記録されているプログラム記録媒体。
【発明の詳細な説明】
【技術分野】
【０００１】
この発明は、携帯電話端末商品販売システムに関するものであり、具体的には、例えば携帯電話端末を用いてユーザが販売者から商品を購入する際に好適に用いられるものである。
【背景技術】
【０００２】
現在、携帯電話端末を用いてインターネットに接続し、商品を購入することが可能となっており、具体的には、携帯電話端末を用いて販売者のホームページのトップページに接続した後、このトップページから希望する商品の購入ページを探し出し、この商品購入ページにおいて所望事項を入力することにより商品購入の手続がとられる。
【０００３】
しかるに、前記のように商品購入ページまでを携帯電話端末によって行うことはユーザにとって極めて煩雑な作業であるため、このような携帯電話端末を用いた商品購入は幅広く利用されるに至っていない。
【０００４】
さらに、販売者にあっても、携帯電話端末による商品販売が行われることにより顧客層の拡大等のメリットはあるものの、携帯電話端末用のウェブページの作成・保守は困難な作業であった。
【発明の開示】
【発明が解決しようとする課題】
【０００５】
そこで、本発明は上記事実に鑑みてなされたものであり、この発明の課題は、ユーザが容易に商品購入を行うことのできる携帯電話端末商品販売システムを提供することにある。
【課題を解決するための手段】
【０００６】
本願発明は上記の課題を解決すべく完成されたものであり、本願発明に係る携帯電話端末商品販売システムは、携帯電話端末用商品購入ページのＵＲＬが商品ごとに記憶される記憶手段と、各種処理を行う処理手段とを備えたＵＲＬ付与システムと、該ＵＲＬ付与システムにネットワークシステムを介してデータの接受可能な販売者側システムとからなり、前記ＵＲＬ付与システムは、販売者側システムから携帯電話端末用商品購入ページのＵＲＬの取得を要望された際に、携帯電話端末用商品購入ページのＵＲＬと、該ＵＲＬを一定法則のもと変換して得られる二次元バーコードとを作成して、前記販売者側システムに提供するとともに、該ＵＲＬ付与システムは、前記ＵＲＬを提供した販売者側システムと関連づけて記憶手段に記憶するように設けられていることを特徴とする。
【０００７】
また、本願発明に係る携帯電話端末商品販売システムは、携帯電話端末用商品購入ページのＵＲＬが商品ごとに記憶される記憶手段と、各種処理を行う処理手段とを備え、前記処理手段は、販売者から携帯電話端末用商品購入ページのＵＲＬの取得を要望された際に、携帯電話端末用商品購入ページのＵＲＬと、該ＵＲＬを一定法則のもと変換して得られる二次元バーコードとを作成して、前記販売者に提供するとともに、前記ＵＲＬを提供した販売者と関連づけて記憶手段に記憶するように設けられていることを特徴とする。
【０００８】
また、本願発明に係る携帯電話端末商品販売システム用プログラムは、処理手段および記憶手段を備えた携帯電話端末商品販売システムに読み込まれることにより、前記処理手段が種々の処理を行うように設けられた携帯電話端末商品販売システム用プログラムであって、前記処理手段が、販売者から携帯電話端末用商品購入ページのＵＲＬの取得を要望された際に、携帯電話端末用商品購入ページのＵＲＬと、該ＵＲＬを一定法則のもと変換して得られる二次元バーコードとを作成して、前記販売者に提供するとともに、前記ＵＲＬを提供した販売者と関連づけて記憶手段に記憶するように設けられていることを特徴とする。
【０００９】
上記構成からなる本願発明にあっては、商品が掲載される雑誌や広告等に販売者が前記二次元バーコードをともに印刷しておくことによって、携帯電話端末のユーザは、前記二次元バーコードを携帯電話端末のカメラによって撮像し、この撮像した二次元バーコードを携帯電話端末においてＵＲＬに変換して、この変換して得られたＵＲＬに接続することにより、その商品の購入ページに接続して、容易に商品購入の手続を行うことができる。
【００１０】
なお、本願発明において、「商品購入」とは、具体的有体物の購入に限られず、プログラム等のコンテンツの利用権の購入やサービス予約等も含まれる概念である。また、二次元バーコードとしては、たとえばＱＲコードを採用することが可能である。さらに、二次元バーコード（ＵＲＬ）を商品ごとに複数設定することも可能であり、このように複数の二次元バーコードを設定することにより、各二次元バーコードを異なる種類の印刷物により印刷しておくことで、携帯電話端末からのアクセスがどの印刷物に基づくアクセスかを判別することも可能となる。
【００１１】
また、本願発明にあっては、ＵＲＬ付与システム（の処理手段）が、販売者（販売者側システム）から提供された商品情報を、携帯電話端末用商品購入ページに反映するように設けられていることが好ましく、これにより、携帯電話端末用商品購入ページにおいて携帯電話端末のユーザが商品情報を確認することができる。また、販売者の側で商品情報を携帯電話端末用商品購入ページに反映する作業を行う必要がないため、新規商品や商品情報の変更作業が極めて簡便であり、販売者にとっても利用しやすいという利点を有する。
【００１２】
なお、「商品情報」とは、商品名、販売価格、支払い方法等とすることができる。また、「商品情報」に、在庫量を含めることも可能であり、この場合には、販売者から提供される初期の在庫量をＵＲＬ付与システム（の記憶手段）に記憶させておき、商品の購入があった場合にＵＲＬ付与システム（の記憶手段）の在庫量を処理手段が減らす処理を行うように設けることが好ましい。さらに、「商品情報」に、一度の注文における注文限定数量を含めることも可能であり、この場合には、携帯電話端末用商品購入ページにおいて前記注文限定数量以上の入力を認めないように設けることが好ましい。さらに、「商品情報」に、特定商取引法に基づく表記を含めることも可能であり、この場合には、特定商取引法に基づく表記の表示画面をさらに設け、この画面へのリンクボタンを携帯電話端末用商品購入ページに設けることが好ましい。また、一つの商品に対して複数の二次元バーコードが設定されている場合には、各二次元バーコードの名称も商品情報に含め、この二次元バーコードの名称を販売者が設定できるように設けることが好ましく、これにより、販売者は複数の二次元バーコードを容易に管理することが可能となる。また、販売者側からＵＲＬ付与システムへの商品情報の送信は、販売者側から携帯電話端末用商品購入ページのＵＲＬの取得を要望する際に行われるように設けることが好ましい。
【００１３】
また、本願発明にあっては、ＵＲＬ付与システム（の処理手段）が、前記携帯電話端末用商品購入ページにアクセスした携帯電話端末ユーザから発注の依頼を受けた際に、販売者に通知するように設けられている構成を採用することが好ましい。これにより、発注の依頼の事実を販売者が容易に知ることができ、その後、たとえば携帯電話端末ユーザである発注者に確認メール等を販売者が送ることも可能となる。なお、ＵＲＬ付与システム（の記憶手段）に、販売者が前記確認メールの送信を希望する販売者のメールアドレスを記憶できるように設けておくことによって、販売者の利便性がより高まるという利点を有する。
【発明を実施するための最良の形態】
【００１４】
以下、本願発明の実施の形態について、以下、図面を参酌しつつ説明する。
なお、図１は、本願発明の一実施形態のシステムの全体の概略説明図であり、図２は、販売者側コンピュータにおいて表示される新規商品入力フォームを示す。図３は、携帯電話端末において表示される商品購入ページであり、図４は、携帯電話端末において表示される商品購入確認ページである。図５は、販売者側コンピュータにおいて表示される商品一覧の例を示し、図６は、販売者側コンピュータにおいて表示される過去の注文の一覧を表示する画面を示す。
【００１５】
まず、本実施形態の全体構成について説明すると、図１に示すように、本実施形態のシステムは、管理サーバ１００（ＵＲＬ付与システム）と、該管理サーバ１００にインターネット等のネットワークシステム２００を介してデータの接受可能な複数の販売者側コンピュータ３００と、前記管理サーバ１００に携帯電話端末通信網等のネットワークシステム４００を介してデータの接受可能な複数の携帯電話端末５００とからなる。
【００１６】
前記管理サーバ及び販売者側コンピュータは、種々のデータを記憶可能なハードディスク等からなる記憶手段と、各種処理を行うＣＰＵ等からなる処理手段とを備え、さらにキーボードやマウス等の入力手段、ＬＣＤやＣＲＴ等の表示手段、ネットワークシステムに接続してデータを接受するための通信手段、及び、記録媒体から／へのデータの読み取り／書き込みが可能な記録媒体読取・書込手段を備えるものである。また、前記携帯電話端末は、画像を撮像可能な撮像手段、各種処理を行う処理手段とを備え、ネットワークシステムに接続してデータを接受するための通信手段も備えるものであり、該携帯電話端末の処理手段は、前記撮像手段によって撮像された二次元バーコードを一定の法則のもと、一定の文字列（ＵＲＬ）に変換できるように設けられている。
【００１７】
また、前記管理サーバの記憶手段には、本システムを利用する販売者に関する販売者情報が記憶されており、この販売者情報は、記憶手段の販売者データマスタに記憶されている。ここで、この販売者情報としては、販売者の個別識別コード、会社名等の名称、住所や電話番号やＦＡＸ番号等の連絡先、担当者名、本システム利用に関する利用料金の引き落とし口座名、制限事項、特定商取引法に基づく表記等のデータが、記憶されている。
【００１８】
また、前記管理サーバの記憶手段には、本システムによって販売を行う商品に関する商品情報が記憶されており、この商品情報は、記憶手段の商品データマスタに記憶されている。この商品情報としては、その商品の個別識別コード、その商品の携帯電話端末用商品購入ページのＵＲＬ、そのＵＲＬを一定条件のもとに変換して得られるＱＲコードの記憶手段における保存場所、このＱＲコードについて販売者が命名したＱＲコード名称、商品名、在庫量、商品注文限定数量（たとえば、受注する限界の総数量や、一個人による注文の限界の数量や、一度に注文できる限界の数量等）、商品価格、この商品を販売する販売者に関する情報（たとえば販売者の個別識別コード）、支払い方法、送料、その他の付帯費用、注文した者に管理サーバが代理して送信するメールの送信元メールアドレス等が記憶されている。
【００１９】
また、前記管理サーバの記憶手段には、本システムによって販売を行う商品の在庫に関する在庫情報が記憶されており、この在庫情報は、記憶手段の在庫データマスタに記憶されている。この在庫情報としては、その商品を認識するための情報（たとえば商品の個別識別コード）、在庫数量、最大に発注可能な数量等が記憶されている。
【００２０】
また、前記管理サーバの記憶手段には、本システムを利用する携帯電話端末のユーザに関するユーザ情報が記憶されており、このユーザ情報は、記憶手段のユーザデータマスタに記憶されている。このユーザ情報としては、そのユーザの個別識別コード、氏名、住所、電話番号、メールアドレス、パスワード等が記憶されている。
【００２１】
また、管理サーバの記憶手段には、管理サーバの処理手段に対して後述する処理を行わせるプログラムが記憶されており、該プログラムに基いて処理手段は、以下のような処理を行う。なお、該記憶手段には、後述する各種画面を生成するための各種のフォームが記憶されている。
【００２２】
つまり、管理サーバの処理手段は、販売者コンピュータから携帯電話端末用商品購入ページのＵＲＬの取得を要望された際に、携帯電話端末用商品購入ページのＵＲＬと、該ＵＲＬを一定法則のもと変換して得られるＱＲコードとを作成して、前記販売者コンピュータに提供するとともに、前記ＵＲＬを提供した販売者に関する情報と関連づけて記憶手段に記憶する処理を行うものである。
【００２３】
より具体的に説明すると、管理サーバの処理手段は、販売者コンピュータが接続した際にその販売者を識別するとともに、さらにこの販売者コンピュータが新規商品の追加を希望した場合には、図２に示すような新規商品入力フォームを販売者コンピュータに提供し、販売者コンピュータに所定の商品情報の入力を求める。ここで、販売者コンピュータによって入力される商品情報としては、商品名、特定商取引法に基づく表記、数量、一アクセスあたりの最大注文数量、価格、支払方法、購買者（携帯電話端末）への通知メールの送信元メールアドレス、注文通知メールアドレス（図示例では２つ）、ＱＲコード名称（図示例では２つ）とすることができる。そして、所定の事項が販売者コンピュータによって入力され送信された場合には、管理サーバの処理手段は、その商品に対する複数の商品購入ページのＵＲＬおよびそのＵＲＬを一定法則のもとに変換したＱＲコードを作成するとともに販売者コンピュータにそのデータを提供する。また、管理サーバの処理手段は、この提供したＵＲＬを、販売者コンピュータから提供された商品情報とともに記憶手段に記憶させる処理を行う。
【００２４】
また、管理サーバの処理手段は、前記ＱＲコードの作成を行うとともに、このＱＲコードに対応する携帯電話端末用商品購入ページを前記販売者コンピュータからの商品情報をもとに作成する。つまり、前記管理サーバの処理手段は、記憶手段に記憶された一定の商品購入ページフォームをもとに、前記販売者コンピュータからの商品情報を加味して、携帯電話端末用商品購入ページを生成し、それを記憶手段に記憶するように設けられている。また、この商品購入ページの生成に際しては、特定商取引法に基づく表記の接続先に関するデータも表示できるように処理手段は、商品購入ページを生成する。
【００２５】
また、携帯電話端末が前記ＵＲＬに接続された場合には、管理サーバの処理手段は、その特定された商品の在庫数量を確認し、在庫が残っている場合には、図３に示すような前記商品購入ページを携帯電話端末に対して表示させる処理を行う。そして、携帯電話端末において商品購入の意思決定がなされ、図４に示すような画面において所定のユーザ情報が入力された場合には、管理サーバの処理手段は、所定のフォームに基づいて注文確認メールを作成し、前記携帯電話端末のユーザに対して該注文確認メールを送信するとともに、注文の事実を販売者に通知する（所定のフォームに基づいて注文通知メールを作成し、販売者の希望するメールアドレスに注文通知メールを送信する）。なお、管理サーバの処理手段は、その商品に関して在庫がない場合には、在庫が存在しないことを示す画面を生成するとともに、この画面を携帯電話端末に対して表示させる処理を行う。
【００２６】
また、前記注文手続きが完了した場合には、前記管理サーバの処理手段は、記憶手段に注文の事実に関するデータを記憶するとともに、記憶手段における在庫数を削減する処理を行う。前記注文事実に関するデータの記憶は、発注者に関する情報（ユーザ情報）や、発注日時、配達希望日、接続されたＵＲＬに関する情報（たとえばＱＲコード名称）等が記憶される。
【００２７】
また、管理サーバの処理手段は、販売者コンピュータが接続した際にその販売者を識別するとともに、さらにこの販売者コンピュータがその販売者が取り扱う商品についての一覧を希望した場合には、図５に示すような既存商品一覧フォームをもとに、その販売者が取り扱っている商品に関して既に注文された数量および在庫数等をもとに既存商品画面を生成し、この既存商品画面を販売者コンピュータに提供する。また、この既存商品画面において、販売者が在庫データ等の変更を希望する場合には、選択により各商品のデータを変更が可能に設けられている。
【００２８】
また、管理サーバの処理手段は、販売者コンピュータが接続した際にその販売者を識別するとともに、さらにこの販売者コンピュータがその販売者の過去の販売実績を希望した場合には、販売実績フォームをもとに、その販売者が取り扱っている商品に関して既に販売された実績に関する販売実績画面（図６参照）を生成し、この既存実績画面を販売者コンピュータに提供する。
【００２９】
なお、本願発明のシステムの利用方法の概要について説明すると、まず、販売者コンピュータにおいて新商品についての登録を行うと、この商品についての携帯電話端末商品購入ページが管理サーバにおいて生成される。そして、この携帯電話端末商品購入ページのＵＲＬおよびＱＲコードが販売者コンピュータに提供され、販売者が商品を掲載した印刷物に前記ＱＲコードを印刷し、この印刷されたＱＲコードを携帯電話端末ユーザが撮像し、ＵＲＬに変換し、そのＵＲＬに接続すると、携帯電話端末において前記携帯電話端末商品購入ページが表示される。そして、この携帯電話端末によって商品購入の意思決定がなされると、管理サーバは、携帯電話端末のユーザおよび販売者にその事実を通知するとともに、記憶手段に販売事実に関するデータを記憶および書換えをおこなう。
【００３０】
これにより、販売者および携帯電話端末ユーザの双方にとって、極めて容易に携帯電話端末を用いた商品購入・販売が行いうる。
【図面の簡単な説明】
【００３１】
【図１】本願発明の一実施形態の携帯電話端末商品販売システムのシステム構造を示す概略的説明図である。
【図２】同実施形態の販売者側コンピュータにおいて表示される新規商品入力フォームを示す。
【図３】同実施形態の携帯電話端末において表示される商品購入ページである。
【図４】同実施形態の携帯電話端末において表示される商品購入確認ページである。
【図５】同実施形態の販売者側コンピュータにおいて表示される商品一覧の例を示す。
【図６】同実施形態の販売者側コンピュータにおいて表示される販売実績一覧の例を示す。
【符号の説明】
【００３２】
１００  作成システム
１１０  記憶手段
１２０  処理手段
１３０  読み取り手段，書き込み手段
１４０  送受信手段
１５０  表示手段
１６０  入力手段
２００  利用システム
２１０  記憶手段
２２０  処理手段
２３０  読み取り手段，書き込み手段
２４０  送受信手段
２５０  表示手段
２６０  入力手段
３００  他のコンピュータ
４００  ネットワーク
【図２】
2006331357.tif 000003
【図３】
2006331357.tif 000004
【図４】
2006331357.tif 000005
【図５】
2006331357.tif 000006
【図１】
2006331357.tif 000007
【図６】
2006331357.tif 000008